(57)【要約】【課題】複数枚の上掛けを上下方向に離隔して吊り下げ保持できる上掛け吊り具とする。【解決手段】  上下方向に離隔した複数の上掛け固定部材と、前記複数の上掛け固定部材における最も上に位置する上掛け固定部材を吊り下げ支持する吊り下げ部材５０を備え、前記各上掛け固定部材は複数の上掛けを、各上掛けが上下方向に離隔するようにそれぞれ固定するようにした上掛け吊り具。【選択図】図３
2018117907.tif 000002
【特許請求の範囲】
【請求項１】
上下方向に離隔した複数の上掛け固定部材と、前記複数の上掛け固定部材における最も上に位置する上掛け固定部材を吊り下げ支持する吊り下げ部材５０を備え、
前記各上掛け固定部材は複数の上掛けを、各上掛けが上下方向に離隔するようにそれぞれ固定するようにしたことを特徴とする上掛け吊り具。
【請求項２】
請求項１記載の上掛け吊り具において、
前記複数の上掛け固定部材は、前記吊り下げ部材５０で吊り下げ支持され、上部上掛け６０を固定する上部上掛け固定部材５１と、前記上部上掛け固定部材５１に吊り下げ支持され、下部上掛け６１を固定する下部上掛け固定部材５２を有し、
前記各上掛け固定部材５１，５２は、前記各上掛け６０，６１の表面から裏面に連続した吊り具通し穴６２を通して各上掛け６０，６１の表面と裏面を挟持して固定する構成である上掛け吊り具。
【請求項３】
請求項２記載の上掛け吊り具において、
前記上部上掛け固定部材５１における上部上掛け６０の裏面から下方に突出した下部と、前記下部上掛け固定部材５２における下部上掛け６１の表面から上方に突出した上部を吊り部材５９で連結して下部上掛け固定部材５２を上部上掛け固定部材５１に吊り下げ支持した上掛け吊り具。
【請求項４】
請求項２又は３記載の上掛け吊り具において、
前記各上掛け固定部材５１，５２は、各上掛け６０，６１の裏面に接する支持プレート５３と、表面に接する押えプレート５４と、吊り具通し穴６２を通して支持プレート５３を裏面、押えプレート５４を表面にそれぞれ押し付ける挟持部材５５を有している上掛け吊り具。
【請求項５】
請求項１記載の上掛け吊り具を用いて吊り下げ保持された複数の上掛けを備え、
前記複数の上掛けにおける上下方向に隣接する２つの上掛けの間に空気層を有していることを特徴とする寝具の上掛け。
【請求項６】
請求項２−４いずれか記載の上掛け吊り具を用いて吊り下げ保持された上部上掛け６０と下部上掛け６１を備え、前記上部上掛け６０と下部上掛け６１との間に空気層を有していることを特徴とする寝具の上掛け。
【発明の詳細な説明】
【技術分野】
【０００１】
本発明は、寝具の上掛けを吊り下げ保持する上掛け吊り具及び上掛け吊り具を用いて吊り下げ保持された寝具の上掛けに関する。
【背景技術】
【０００２】
ベッドや布団などの寝具に寝ている人が、上半身を起こしたり、その上半身を起こした姿勢から再び寝たりする寝起き動作は苦しいことである。
特に、高齢者、身体不自由の人、病人、けがの人などにとっては、前述の寝起き動作は大変苦しく、介護人の手助けがなければ寝起き動作ができないことがある。
このことを解消し寝起き動作を楽にできるようにした寝具用寝起き補助装置が特許文献１に開示されている。
この寝具用寝起き補助装置は、支持部材と取り付け部材と上掛け保持部材を備え、上掛け保持部材の上掛け吊り具で上掛けを吊り下げ保持し、寝起き動作を楽にできるようにしている。
【先行技術文献】
【特許文献】
【０００３】
【特許文献１】特許第５２９４４８６号公報
【発明の概要】
【発明が解決しようとする課題】
【０００４】
本出願人等は、従来の寝具用寝起き補助装置を利用して実際に寝たところ、就寝中、冬場など寒い時に寒さを感じることがあった。
そこで本出願人等は、なぜ寒さを感じたのかを考えたところ、次のことを見出した。
従来の寝具用寝起き補助装置の上掛け吊り具は、一枚の上掛けを吊り下げ保持する構成で、寝具に寝ている人は一枚の上掛けで覆われるのみであるから、外気温が下がると、室内温度も下がり、上掛け一枚の内部温度が下がり、寝ている人の体温も下がり寒さを感じる。例えば、室内温度が１０度まで下がると寒さを感じる。
【０００５】
本発明は、前述の課題を解決するために為されたもので、その目的は、複数枚の上掛けを上下方向に離隔して吊り下げ保持できる上掛け吊り具及び、寝ている人が冬場など寒い時でも寒さを感じないように吊り下げ保持した寝具の上掛けを提供することである。
【課題を解決するための手段】
【０００６】
本発明の上掛け吊り具は、上下方向に離隔した複数の上掛け固定部材と、前記複数の上掛け固定部材における最も上に位置する上掛け固定部材を吊り下げ支持する吊り下げ部材５０を備え、
前記各上掛け固定部材は、複数の上掛けを、上掛けが上下方向に離隔するようにそれぞれ固定するようにしたことを特徴とする上掛け吊り具である。
【０００７】
本発明の上掛け吊り具においては、前記複数の上掛け固定部材は、前記吊り下げ部材５０で吊り下げ支持され、上部上掛け６０を固定する上部上掛け固定部材５１と、前記上部上掛け固定部材５１に吊り下げ支持され、下部上掛け６１を固定する下部上掛け固定部材５２を有し、
前記各上掛け固定部材５１，５２は、前記各上掛け６０，６１の表面から裏面に連続した吊り具通し穴６２を通して各上掛け６０，６１の表面と裏面を挟持して固定する構成である上掛け吊り具とすることができる。
このようにすれば、各上掛け固定部材５１，５２で各上掛け６０，６１を損傷することなしに固定できる。
【０００８】
本発明の上掛け吊り具においては、前記上部上掛け固定部材５１における上部上掛け６０の裏面から下方に突出した下部と、前記下部上掛け固定部材５２における下部上掛け６１の表面から上方に突出した上部を吊り部材５９で連結して下部上掛け固定部材５２を上部上掛け固定部材５１に吊り下げ支持した上掛け吊り具とすることができる。
このようにすれば、各上掛け固定部材５１，５２を各上掛け６０，６１にそれぞれ固定した後に、上部上掛け固定部材５１を吊り下げて上部上掛け６０を吊り下げ保持し、その状態で下部上掛け固定部材５２を吊り部材５９で上部上掛け固定部材５１に吊り下げて下部上掛け６１を吊り下げ保持できるので、上部上掛け６０、下部上掛け６１を簡単に吊り下げ保持できる。
【０００９】
本発明の上掛け吊り具においては、前記各上掛け固定部材５１，５２は、各上掛け６０，６１の裏面に接する支持プレート５３と、表面に接する押えプレート５４と、吊り具通し穴６２を通して支持プレート５３を裏面、押えプレート５４を表面にそれぞれ押し付ける挟持部材５５を有している上掛け吊り具とすることができる。
このようにすれば、支持プレート５３、押えプレート５４で上掛けの裏面と表面を挟持するので、上掛けをしっかり固定できる。
【００１０】
本発明の寝具の上掛けは、請求項１記載の上掛け吊り具を用いて吊り下げ保持された複数の上掛けを備え、前記複数の上掛けにおける上下方向に隣接する２つの上掛けの間に空気層を有していることを特徴とする寝具の上掛けである。
【００１１】
本発明の寝具の上掛けは、請求項２−４いずれか記載の上掛け吊り具を用いて吊り下げ保持された上部上掛け６０と下部上掛け６１を備え、前記上部上掛け６０と下部上掛け６１との間に空気層を有していることを特徴とする寝具の上掛けである。
【発明の効果】
【００１２】
本発明の上掛け吊り具によれば、複数枚の上掛けを上下方向に離隔して吊り下げ保持できる。
本発明の寝具の上掛けによれば、寝ている人が冬場など寒い時でも寒さを感じないように吊り下げ保持した寝具の上掛けとすることができる。
【図面の簡単な説明】
【００１３】
【図１】本発明の上掛け吊り具を取り付ける吊り具取り付け装置の実施の形態を示す平面図である。
【図２】吊り具取り付け装置の正面図である。
【図３】本発明の上掛け吊り具の第１の実施の形態を示す断面図である。
【図４】本発明の上掛け吊り具の第２の実施の形態を示す断面図である。
【図５】本発明の上掛け吊り具の第３の実施の形態を示す断面図である。
【発明を実施するための形態】
【００１４】
本発明の上掛け吊り具を取り付ける吊り具取り付け装置の実施の形態を図１、図２に基づいて説明する。
図１は吊り具取り付け装置の平面図、図２は吊り具取り付け装置の正面図である。なお、寝具に寝ている人の身長方向を前後方向とし、寝具に寝ている人の身長方向と直角方向を左右方向として説明する。
吊り具取り付け装置１は、支持部材２と、その支持部材２に設けた取り付け部材３と、その取り付け部材３に設けた上掛け保持部材４を備えている。
支持部材２は畳と寝具（敷布団、マットレス等）との間で狭持される板状である。
【００１５】
取り付け部材３は支持部材２の左右方向一方側に上向きに取り付けてある。
取り付け部材３は、その高さが調整できる。例えば、支持部材２に上向きに固定した筒体３０と、その筒体３０にスライド自在に挿入した可動筒体３１と、可動筒体３１の上端に固定した取り付けプレート３２を有し、筒体３０から固定ピン３３を可動筒体３１に形成した複数の穴３４のいずれかの穴３４に嵌合することで可動筒体３１（取り付けプレート３２）の高さを変え、取り付け部材３の高さを調整できるようにしてある。可動筒体３１をシリンダーなどのアクチュエータで上下に移動するようにしてもよい。
上掛け保持部材４は、取り付け部材３の上部（取り付けプレート３２）に取り付けたプレート４０と、そのプレート４０に左右方向他方側に向けて取り付けたコ字状の枠体４１と、その枠体４１の左右方向両側に前後方向に向けて取り付けた左右一対の本体４２と、その本体４２に取り付けた本発明の上掛け吊り具５を有している。
【００１６】
プレート４０の図２中における左右方向一方側は、ヒンジ４４で取り付けプレート３２に上下方向に揺動自在に連結されており、プレート４０を取り付けプレート３２に接した水平状態と、プレート４０の左右方向他方側が取り付けプレート３２と離れた起立状態に揺動できるようにしてある。つまり、上掛け保持部材４は、上掛け吊り具４３が寝具に接近した姿勢（横向き姿勢という）と、上掛け吊り具５が寝具の上方に離れた姿勢（縦向き姿勢という）とに渡って揺動する。
これにより、吊り具取り付け装置１の左右方向他方側から上掛け保持部材４を横向き姿勢、縦向き姿勢とすることができるので、寝人が要看護者である場合、介護人が介護しやすい。
【００１７】
本体４２は、枠体４１に前後方向に向けて固定した固定筒体４２ａと、その固定筒体４２ａにスライド自在に挿入した第１可動筒体４２ｂと、その第１可動筒体４２ｂにスライド自在に挿入した第２可動筒体４２ｃを有している。
第１可動筒体４２ｂと第２可動筒体４２ｃは枠体４１から前後方向一方（寝人の頭の方向）に張り出している。
固定筒体４２ａの前後方向（長手方向）３箇所と、第１可動筒体４２ｂの前後方向の一方側と、第２可動筒体４２ｃの前後方向一方側にリング体４５がそれぞれ取り付けてある。
この各リング体４５に本実施の形態の上掛け吊り具５がそれぞれ吊り下げ支持して取り付けてある。
【００１８】
上掛け吊り具５を図２に基づいて説明する。なお、上掛け吊り具５を吊り下げ支持した状態で上下方向の上側を上部とし、上下方向の下側を下部として説明する。
上掛け吊り具５は、リング体４５に取り付けられる吊り下げ部材５０と、吊り下げ部材５０で吊り下げ支持される上部上掛け固定部材５１と、上部上掛け固定部材５１に吊り下げ支持される下部上掛け固定部材５２を有している。下部上掛け固定部材５２は上部上掛け固定部材５１と上下方向に離隔し、かつ上部上掛け固定部材５１よりも下方（支持部材２寄り）に位置している。
図２では、上下方向に離隔した第１下部上掛け固定部材５２−１と第２下部上掛け固定部材５２−２を備えている。
【００１９】
第１下部上掛け固定部材５２−１が上部上掛け固定部材５１に吊り下げ支持され、第１下部上掛け固定部材５２−１は上部上掛け固定部材５１の下方に間隔を置いて位置している。
第２下部上掛け固定部材５２−２が第１下部上掛け固定部材５２−１に吊り下げ支持され、第２下部上掛け固定部材５２−２は第１下部上掛け固定部材５２−１の下方に間隔を置いて位置している。
つまり、上部上掛け固定部材５１が最も上方に位置し、第２下部上掛け固定部材５２−２が最も下方に位置し、第１下部上掛け固定部材５２−１が上下中間に位置している。
【００２０】
本発明の寝具の上掛け６は、図２に二点鎖線で示すように、上部上掛け固定部材５１で吊り下げ保持される上部上掛け６０と、下部上掛け固定部材５２で吊り下げ保持される下部上掛け６１を有している。
上部上掛け６０の表面に室内の空気に触れ、下部上掛け６１は上部上掛け６０よりも下方に位置し、上部上掛け６０の裏面と下部上掛け６１の表面との間に空気が充満する空間、つまり空気層７を形成する。表面とは上方に向かう面であり、裏面とは下方に向かう面である。
図２では、下部上掛け６１は第１下部上掛け固定部材５２−１で吊り下げ支持される第１下部上掛け６１−１と、第２下部上掛け固定部材５２−２で吊り下げ支持される第２下部上掛け６１−２を備えている。
【００２１】
上部上掛け６０の下方に第１下部上掛け６１−１が離隔して位置し、上部上掛け６０の裏面と第１下部上掛け６１−１の表面との間に第１空気層７ａを形成する。
第１下部上掛け６１−１の下方に第２下部上掛け６１−２が離隔して位置し、第１下部上掛け６１−１の裏面と第２下部上掛け６１−２の表面との間に第２空気層７ｂを形成する。
このように、本実施の形態の上掛け吊り具５によれば複数、例えば上部上掛け６０、第１下部上掛け６１−１、第２下部上掛け６１−２の３枚の上掛けを上下方向に離隔して吊り下げ保持できる。
【００２２】
また、本実施の形態の上掛け吊り具５を用いて吊り下げ保持した寝具の上掛け６は、上下方向に離隔した２つの上掛けの間に空気層７、例えば上部上掛け６０と第１下部上掛け６１−１との間に第１空気層７ａ、第１下部上掛け６１−１と第２下部上掛け６１−２との間に第２空気層７ｂを有するので、寝具の上掛け６の断熱効果が優れたものになる。
これにより、冬場などの寒い時に寝ている人の体温が下がることがないので寒さを感じることがないようにできる。
【００２３】
上掛け吊り具５の詳細を図３に基づき説明する。
吊り下げ部材５０は、吊り紐、吊り鎖、吊りロッド、吊り金具等で、その下部が上部上掛け固定部材５１に連結され、上部が図２に示すようにリング体４５に連結される。
上部上掛け固定部材５１、第１、第２下部上掛け固定部材５２−１、５２−２（以下単に上掛け固定部材という）は、上部上掛け６０、第１下部上掛け６１−１、第２下部上掛け６１−２（以下単に上掛けという）の表面から裏面に連続した吊り具通し穴６２を通して上掛けを固定、図３では上掛けの表面と裏面を挟持して固定される。これにより、上掛けを損傷せずに固定できる。
例えば、上掛け固定部材は、上掛けの裏面に接する支持プレート５３と、上掛けの表面に接する押えプレート５４と、挟持部材５５を備えている。挟持部材５５は、上掛けの吊り具通し穴６２を通り支持プレート５３を上掛けの裏面に押しつけ、押えプレート５４を上掛けの表面に押しつけて上掛けを挟持する。
これにより、上掛けをしっかり固定できる。
【００２４】
図３に示す挟持部材５５は、ボルト５６と下ナット５７と上ナット５８を備えている。
ボルト５６は、支持プレート５３の穴５３ａ、上掛けの吊り具通し穴６２、押えプレート５４の穴５４ａに通る。下ナット５７、上ナット５８はボルト５６の上部分、下部分にそれぞれ螺合し、かつ支持プレート５３の穴５３ａ、押えプレート５４の穴５４ａを通らない大きさである。
このようであるから、ボルト５６の下部分に下ナット５７を螺合し、ボルト５６の上部分に上ナット５８を螺合して締め付け回転することで、下ナット５７を支持プレート５３に接し、上ナット５８を押えプレート５４に接することで、支持プレート５３と押えプレート５４を上掛けの裏面と表面にそれぞれ押しつけて上掛けを挟持して上掛け固定部材を上掛けに固定する。したがって、厚さが若干異なる上掛けを挟持して固定できる。
【００２５】
上下方向に隣接する下の上掛け固定部材は、吊り部材５９で上の上掛け固定部材に連結されて吊り下げ支持される。
これにより、上掛け固定部材を上掛けに固定した状態で上掛けを順次吊り下げ支持できるので、上掛けを簡単に吊り下げ保持できる。
例えば、上の上掛け固定部材の挟持部材５５の下部（上掛けの裏面より突出した部分）と、下の上掛け固定部材の挟持部材５５の上部（上掛けの表面より突出した部分）を吊り部材５９で連結して吊り下げ支持する。
具体的には、図３に示すように、吊り部材５９を外周面が矩形形状で長い継ぎナット５９ａとし、上部上掛け固定部材５１のボルト５６の下部を下ナット５７よりも下方に突出し、突出した部分に継ぎナット５９ａの上部分を螺合する。第１下部上掛け固定部材５２−１のボルト５６の上部を上ナット５８よりも上方に突出し、突出した部分に継ぎナット５９ａの下部分を螺合して上下のボルト５６同士を継ぎナット５９ａで連結することで、第１下部上掛け固定部材５２−１を上部上掛け固定部材５１の下部に吊り下げ支持する。
【００２６】
第１下部上掛け固定部材５２−１のボルト５６の下部を下ナット５７よりも下方に突出し、突出した部分に継ぎナット５９ａの上部分を螺合する。第２下部上掛け固定部材５２−２のボルト５６の上部を上ナット５８よりも上方に突出し、突出した部分に継ぎナット５９ａの下部分を螺合して上下のボルト５６同士を継ぎナット５９ａで連結することで、第２下部上掛け固定部材５２−２を第１下部上掛け固定部材５２−１の下部に吊り下げ支持する。
このように吊り下げ支持するには次のようにする。
まず、上部上掛け６０に上部上掛け固定部材５１を固定し、第１下部上掛け６１−１に第１上部上掛け固定部材５２−１を固定し、第２下部上掛け６１−１に第２下部上掛け固定部材５２−２を固定する。次に上部上掛け固定部材５１を吊り下げ部材５０で吊り下げて上部上掛け６０を吊り下げ支持する。
【００２７】
そして、上部上掛け固定部材５１のボルト５６の下部に継ぎナット５９ａの上部を螺合し、その継ぎナット５９ａの下部に第１下部上掛け固定部材５２−１のボルト５６の上部を螺合して第１下部上掛け固定部材５２−１を上部上掛け固定部材５１に吊り下げ、第１下部上掛け６１−１を吊り下げ支持する。
この後、第１下部上掛け固定部材５２−１のボルト５６の下部に継ぎナット５９ａの上部を螺合し、その継ぎナット５９ａの下部に第２下部上掛け固定部材５２−２のボルト５６の上部を螺合して第２下部上掛け固定部材５２−２を第１下部上掛け固定部材５２−１に吊り下げ、第２下部上掛け６１−２を吊り下げ支持する。
【００２８】
図３に示す上掛け吊り具５は、上部上掛け固定部材５１の挟持部材５５の上部（上ナット５８）に吊り下げ部材連結部５５ａを有する。
そして、吊り下げ部材５０は吊り下げ部材連結部５５ａに次のように連結される。
吊り下げ部材５０を吊り紐８とする。その吊り紐８の下端部分８ａを、紐ストッパー９の筒体９０内に移動体９１をばねに抗して手で押し込んだ状態で、筒体９０、移動体９１の一方の穴に通し、リング形状の吊り下げ部材連結部５５ａに掛けて上に持ち上げ、持ち上げ部分８ｂを紐ストッパー９の筒体９０、移動体９１の他方の穴に通し、移動体９１から手を離して移動体９１をばねで移動して吊り紐８の下端部分８ａと吊り紐８の持ち上げ部分８ｂを紐ストッパー９の筒体９０と移動体９１で挟むことで連結し、吊り下げ部材５０を吊り下げ部材連結部５５ａに連結する。
【００２９】
第２下部上掛け固定部材５２−２の挟持部材５５の下部（下ナット５７）に回転用の摘み５７ａが設けてある。
図３に示す寝具の上掛け６は、上部上掛け６０を掛け布団とし、第１下部上掛け６１−１を毛布とし、第２下部上掛け６１−２をタオルケットとしても良い。
また、上部上掛け６０の表面にアルミ箔のシートを設けることで断熱性がより優れたものにできる。
【００３０】
また、図示は省略するが上部上掛け６０と第１下部上掛け６１−１との間の空気層に電気あんか、湯たんぽ等の暖房具を設けることで、寝ている人がより一層寒さを感じることがないようにできる。
なお、暖房具は長手方向他方側、つまり寝ている人の足元よりに設けることが好ましい。
【００３１】
上掛け吊り具５の第２の実施の形態を図４を参照して説明する。
上下に隣接する上掛け固定部材における上の上掛け固定部材の下のナット５７と継ぎナット５９ａと下の上掛け固定部材の上のナット５８を一体としてある。
図４では、上部上掛け固定部材５１のボルト５６の下部と第１下部上掛け固定部材５２−１のボルト５６の上部に継ぎナット５９ａをそれぞれ螺合し、継ぎナット５９ａで支持プレート５３を上部上掛け６０の裏面に押しつけ、押えプレート５４を第１下部上掛け６１−１の表面に押しつけてある。
【００３２】
第１下部上掛け固定部材５２−１のボルト５６の下部と第２下部上掛け固定部材５２−２のボルト５６の上部に継ぎナット５９ａをそれぞれ螺合し、継ぎナット５９ａで支持プレート５３を第１下部上掛け６１−１の裏面に押しつけ、押えプレート５４を第２下部上掛け６１−２の表面に押しつけてある。
これにより、部品点数が少なくなり、コストが安くなる。しかも、継ぎナット５９ａを螺合すれば良いので、上掛け固定部材を上掛けに固定する作業が簡単である。
【００３３】
図４に示す上掛け吊り具５は、上部上掛け固定部材５１の上ナット５８がボルト５６と一体で、ボルト頭部５６ａとしてある。最下部の下部上掛け固定部材である第２下部上掛け固定部材５２−２の下ナット５７がボルト５６と一体で、ボルト５６の頭部５６ａとしてある。
これにより、通常の頭部を備えたボルトを用いることができる。
【００３４】
上掛け吊り具５の第３の実施の形態を図５を参照して説明する。
吊り部材５９を、紐、チェーンなどの索状５９ｂとし、上下に隣接する上掛け固定部材における上の上掛け固定部材の下部と下の上掛け固定部材の上部に索状５９ｂを連結して下の上掛け固定部材を上の上掛け固定部材に吊り下げ支持する。
図５では、上部上掛け固定部材５１のボルト５６の下部と、第１下部上掛け固定部材５２−１のボルト５６の上部、下部と、第２下部上掛け固定部材５２−２のボルト５６の上部に索状連結部、例えば、穴５６ｂをそれぞれ設ける。
第１下部上掛け固定部材５２−１のボルト５６の下部の穴５６ｂは、ボルトの下部に一体に設けた下ナット（ボルト頭部５６ａ）に下向き片５６ｃを設け、その下向き片５６ｃに穴５６ｂが形成してある。
【００３５】
上部上掛け固定部材５１のボルト５６の下部の穴５６ｂと、第１下部上掛け固定部材５２−１のボルト５６の上部の穴５６ｂとに索状５９ｂの長手方向両端部をそれぞれ連結して第１下部上掛け固定部材５２−１を上部上掛け固定部材５１に吊り下げ支持する。
第１下部上掛け固定部材５２−１のボルト５６の下部の穴５６ｂと、第２下部上掛け固定部材５２−２のボルト５６の上部の穴５６ｂとに索状５９ｂの長手方向両端部をそれぞれ連結して第２下部上掛け固定部材５２−２を第１下部上掛け固定部材５２―１に吊り下げ支持する。
【００３６】
以上の各実施の形態では上掛け固定部材を上下方向に離隔した３つとし、上掛けも上下方向に離隔した３枚としたが、これに限ることはない。
例えば、上掛け固定部材を２つとし、上掛けを２枚とする。上掛け固定部材４つ以上とし、上掛けを４枚以上とすることができる。
実施の形態では、吊り具取り付け装置１の左右方向他方側から上掛け保持部材４を横向き姿勢、縦向き姿勢とするようにしたが、これに限ることはなく上掛け保持部材４を吊り具取り付け装置１の前後方向他方側から横向き姿勢、縦向き姿勢とするようにしても良い。
また、吊り具取り付け装置１は、天井などの寝具の上方の位置にフック等の吊り具を取り付け、その吊り具に吊り下げ部材を吊り下げ支持するようにしても良い。
【符号の説明】
【００３７】
１…吊り具取り付け装置、５…上掛け吊り具、６…寝具の上掛け、７…空気層、５０…吊り下げ部材、５１…上部上掛け固定部材、５２…下部上掛け固定部材、５２−１…第１下部上掛け固定部材、５２−２…第２下部上掛け固定部材、５３…支持プレート、５４…押えプレート、５５…挟持部材、５６…ボルト、５７…下ナット、５８…上ナット、５９…吊り部材、５９ａ…継ぎナット、５９ｂ…索状、６０…上部上掛け、６１…下部上掛け、６１−１…第１下部上掛け、６１−２…第２下部上掛け、６２…吊り具通し穴。
【図１】
2018117907.tif 000003
【図２】
2018117907.tif 000004
【図３】
2018117907.tif 000005
【図４】
2018117907.tif 000006
【図５】
2018117907.tif 000007